(57)【要約】【課題】照明光に無駄を生じさせること無く、導光体の厚さを薄くすることが可能な原稿照明ユニットを提供する。【解決手段】原稿を置くための原稿台と、原稿台の裏面側に配置された光源１２と、光源１２からの光が入射され、その光の一部を原稿に対して原稿台の裏側から照射するとともに、光の残部を側面から出射する導光体１３と、原稿を挟んで導光体１３の反対側に配置され、導光体１３の側面から出射された光を反射して、その反射光を原稿に対して原稿台の裏側から照射する反射部材とを備え、導光体１３の下面１３Ｃには、主走査方向Ｘに延びた溝１６Ａが副走査方向Ｚに沿って複数形成され、溝１６Ａは、光源１２からの光を全反射して原稿へ直接導く前部傾斜面１６ＢＡと、光源１２からの光を全反射して反射部材へ導く後部傾斜面１６ＢＢとを有する。【選択図】図４
2014057281.tif 000002
【特許請求の範囲】
【請求項１】
原稿を置くための原稿台と、
該原稿台の裏面側に配置された光源と、
該光源からの光が入射され、その光の一部を前記原稿に対して前記原稿台の裏側から照射するとともに、前記光の残部を側面から出射する導光体と、
前記原稿を挟んで前記導光体の反対側に配置され、前記導光体の側面から出射された光を反射して、その反射光を前記原稿に対して前記原稿台の裏側から照射する反射部材とを備え、
前記導光体の下面には、主走査方向に延びた溝が副走査方向に沿って複数形成され、
前記溝は、前記光源からの光を全反射して前記原稿へ直接導く第１の反射面と、前記光源からの光を全反射して前記反射部材へ導く第２の反射面とを有することを特徴とする原稿照明ユニット。
【請求項２】
前記第１の反射面及び前記第２の反射面は、前記導光体の下面に対して傾斜しており、前記第１の反射面の傾斜角は、前記第２の反射面の傾斜角よりも大きく設定されていることを特徴とする請求項１に記載の原稿照明ユニット。
【請求項３】
前記第１の反射面は前記光源に近い側に、前記第２の反射面は前記第１の反射面よりも前記光源から離れた側にそれぞれ配置されていることを特徴とする請求項１又は２に記載の原稿照明ユニット。
【請求項４】
前記溝は、少なくとも前記第１の反射面と前記第２の反射面との境界部が、前記導光体の本体側に凹んだ円筒面になっていることを特徴とする請求項１〜３のいずれか一項に記載の原稿照明ユニット。
【請求項５】
前記導光体は、板状を成し、かつ前記原稿台に平行に配置されていることを特徴とする請求項１〜４のいずれか一項に記載の原稿照明ユニット。
【請求項６】
前記導光体は、前記光源に近い位置に平坦部が形成され、
前記複数の溝は、前記平坦部よりも前記光源から離れた位置に形成されていることを特徴とする請求項５に記載の原稿照明ユニット。
【請求項７】
原稿台の裏面側に設けられ、前記原稿台に沿って走行可能であるとともに、前記原稿台に置かれた原稿を該原稿台の裏側から照明する照明部を有する第１の走行体と、
前記第１の走行体の走行に伴って走行するとともに、前記照明部で照明した前記原稿の内容を読み取って光学的に出力する第２の走行体と、
前記第２の走行体から光学的に出力された前記原稿の内容を受光する受光部とを備えた原稿読取装置であって、
前記照明部として、請求項１〜６のいずれか一項に記載の原稿照明ユニットを備えたことを特徴とする原稿読取装置。
【請求項８】
原稿台に置かれた原稿に対して該原稿台の裏面側から照射し、前記原稿の内容を光学的に読み取って、記録用紙に形成する画像形成装置であって、
前記原稿の内容を光学的に読み取る装置として、請求項７に記載の原稿読取装置を搭載したことを特徴とする画像形成装置。
【発明の詳細な説明】
【技術分野】
【０００１】
本発明は、デジタル複写機やイメージスキャナ等の読取り装置に使用される原稿照明ユニット、その原稿照明ユニットを備えた原稿読取装置、及びその原稿読取装置を搭載した画像形成装置に関するものである。
【背景技術】
【０００２】
近年、発光ダイオード（Light Emitting Diode：以下、ＬＥＤと称す）の開発が活発に行われている。ＬＥＤ素子の明るさは急激に高まっており、コストも低廉化してきている。ＬＥＤは、一般的に長寿命、高効率、高耐Ｇ性、単色発光などの利点を有しており、多くの照明分野への応用が期待されている。
【０００３】
その用途の一つとして、デジタル複写機やイメージスキャナのような画像形成装置の原稿照明ユニットがある。さらに、白色発光型のＬＥＤ素子における発光スペクトルは可視域の波長帯をカバーしており、カラー画像形成装置の原稿照明ユニットにも使用することができる。このため、白色ＬＥＤを用いた多種多様な原稿照明ユニットが知られている。
【０００４】
ＬＥＤを光源とした原稿照明ユニットにおいて、従来より、原稿を照明する照明系に導光体を設け、この導光体を原稿台に対して斜めに配置する構成が採られていた。しかし、導光体を斜めに配置すると、導光体の高さが高くなってしまい、導光体の省スペース化を図ることができない。
【０００５】
ところで、切り貼り原稿を読取る際に、原稿段差部に陰線が生じることを回避するために、読取光軸を挟んで両側から照明を行うことが好ましいことが知られている。例えば、両側から照明を行う構成として、光源の光を直接照明領域に導く第一の照明手段と、読取光軸を挟んで反対側に配置され、前記光源の光を前記第一の照明手段を介して間接的に前記照明領域に導く第二の照明手段とを備えた原稿照明ユニットが提案されている（例えば、特許文献１、特許文献２、及び特許文献３参照）。
【発明の概要】
【発明が解決しようとする課題】
【０００６】
しかしながら、上記従来技術では、導光板を更に薄くすることが難しいという問題がある。
【０００７】
すなわち、特許文献１〜３においては、導光体の内部に入射した光を、原稿台に置かれた原稿に導くために、導光体の側面の一部に傾斜面を形成し、この傾斜面で、導光体内に入射した光を全反射して、直接的に原稿へまたは反射ミラーを介して間接的に原稿へ導くように構成されている。
【０００８】
しかし、上記のように導光体の側面の一部に傾斜面を形成した構成であると、当該傾斜面の分だけ上下方向のスペースが必要となり、導光体の高さを薄くするのが極めて難しくなっている。なお、前記傾斜面の傾斜角を小さくすれば、導光体の厚さを薄くすることは可能であるが、このようにすると、原稿台上の原稿以外へ向かう光の量が多くなってしまい、照明光に無駄が生じる。
【０００９】
本発明の課題は、照明光に無駄を生じさせること無く、導光体の厚さを薄くすることが可能な原稿照明ユニット、その原稿照明ユニットを備えた原稿読取装置、及びその原稿読取装置を搭載した画像形成装置を提供することにある。
【課題を解決するための手段】
【００１０】
上記課題を解決するために、本発明は、原稿を置くための原稿台と、該原稿台の裏面側に配置された光源と、該光源からの光が入射され、その光の一部を前記原稿に対して前記原稿台の裏側から照射するとともに、前記光の残部を側面から出射する導光体と、前記原稿を挟んで前記導光体の反対側に配置され、前記導光体の側面から出射された光を反射して、その反射光を前記原稿に対して前記原稿台の裏側から照射する反射部材とを備え、前記導光体の下面には、主走査方向に延びた溝が副走査方向に沿って複数形成され、前記溝は、前記光源からの光を全反射して前記原稿へ直接導く第１の反射面と、前記光源からの光を全反射して前記反射部材へ導く第２の反射面とを有することを特徴とする。
【発明の効果】
【００１１】
本発明によれば、複数の溝に形成された第１の反射面は、光源からの光を全反射して原稿へ直接導き、第２の反射面は、光源からの光を全反射して反射部材へ導くので、照明光に無駄が生じることが無い。また、導光体の側面に傾斜面等が形成されていないので、導光体の厚さを容易に薄くすることができる。
【図面の簡単な説明】
【００１２】
【図１】原稿照明ユニットの概略構成図である。
【図２】光源及び導光体の拡大図である。
【図３】下面に複数の溝からなる配向制御領域を有する導光体を示す図である。
【図４】実施例１による配向制御領域を有する導光体を示す図である。
【図５】配向制御領域の拡大図である。
【図６】導光体の上面や下面で全反射することなく、導光体の内部を光が進む様子を示す図である。
【図７】導光体の上面で全反射して導光体内を光が進む様子を示す図である。
【図８】２つの傾斜面の接合部で光が乱反射することを説明した図である。
【図９】実施例２を示しており、２つの傾斜面の接合部にＲ部を形成した様子を示す図である。
【図１０】Ｒ部では光が乱反射しないことを説明した図である。
【図１１】実施例３による原稿読取装置の概略構成図である。
【図１２】実施例４による画像形成装置の全体構成図である。
【発明を実施するための形態】
【００１３】
以下、本発明の実施例を図面に従って説明する。
【実施例】
【００１４】
《実施例１》
図１において、Ｘ（紙面垂直方向）は主走査方向、Ｚは主走査方向Ｘに直角な副走査方向、Ｙは主走査方向Ｘ及び副走査方向Ｚに直角な上下方向をそれぞれ示している。これら主走査方向Ｘ、副走査方向Ｚ、及び上下方向Ｙについては、他の図面においても同様である。
【００１５】
図１は、原稿照明ユニット１０の概略構成を示した図である。図１において、１１は原稿台であり、その上面１１Ａの上に、読み取るための原稿が置かれる。原稿台１１は透明なガラス板等で形成され、その上面１１Ａ及び下面１１Ｂは平坦で且つ互いに平行となっている。
【００１６】
１２はＬＥＤ等で構成された光源である。光源１２は複数個設けられ、これら複数個の光源１２は、主走査方向Ｘに沿って直線状に且つ所定の間隔を有して配置されている。また、複数個の光源１２は基板（図示省略）上に固定されている。各光源１２には、その一側端面（図において右側端面）に発光面１２Ａが形成され、発光面１２Ａから副走査方向Ｚに光が放出される。
【００１７】
光源１２の側方には、透明なガラス又はブラスチック等からなる導光体１３が設けられている。導光体１３は、その一側端面（図において左側端面）に上下方向Ｙに沿って平坦な入射面１３Ａを有し、この入射面１３Ａが光源１２の発光面１２Ａに対向している。導光体１３は、その入射面１３Ａが光源１２の発光面１２Ａに近接して配置されている。また、導光体１３は、板状を成しており、その長手方向が主走査方向Ｘに沿うように配置されている。
【００１８】
導光体１３の上面１３Ｂ及び下面１３Ｃは、平坦で且つ互いに平行となっている。導光体１３は原稿台１１に対して平行に、つまり、導光体１３の上面１３Ｂ及び下面１３Ｃが原稿台１１の上面１１Ａ及び下面１１Ｂと平行となるよう配置されている。
【００１９】
導光体１３の他側端面（図において右側端面）には、上下方向Ｙに沿って平坦な出射面１３Ｄが形成されている。図１において上方から見たとき、原稿読取領域Ｓを挟んで、導光体１３の出射面１３Ｄの反対側には、反射部材としての対向反射ミラー１４が設けられている。この対向反射ミラー１４は、その上部が前記出射面１３Ｄから離間し、下部が前記出射面１３Ｄに接近するように傾斜して設置されている。また、対向反射ミラー１４は、主走査方向Ｘに沿って長い板状を成している。
【００２０】
図１の構成において、光源１２からの光は、一部は導光体１３の下面１３Ｃで全反射した後に原稿台１１へ向かい、残部は対向反射ミラー１４で反射した後に原稿台１１へ向かう。この点については後述する。
【００２１】
図２は、光源１２及び導光体１３を拡大して示した図である。図２に示すように、導光体１３の下面１３Ｃには、光源１２に近い側（図の左寄り側）に平坦な反射領域１５が、光源から離れた側（図の右寄り側）に複数の微少な溝１６Ａからなる配向制御領域１６がそれぞれ設けられている。
【００２２】
各溝１６Ａは、導光体１３の下面１３Ｃに主走査方向Ｘに沿って形成され、入射面１３Ａに近い側が下に出射面１３Ｄ（図１参照）に近い側が上にくるよう傾斜した傾斜面１６Ｂと、入射面１３Ａに近い側が上に出射面１３Ｄに近い側が下にくるよう傾斜した傾斜面１６Ｃとを有している。そして、傾斜面１６Ｂの上部と傾斜面１６Ｃの上部は互いに結合されて、溝１６Ａは、副走査方向Ｚと上下方向Ｙを含む面において断面形状が三角形を成すように形成されている。ここで、配向制御領域１６（溝１６Ａの左右両側縁部１６Ｄ，１６Ｅ）は、導光体１３の反射領域１５と面一となるよう配置されている。
【００２３】
上記溝１６Ａは副走査方向Ｚに沿って複数設けられており、配向制御領域１６には、導光体１３の出射面１３Ｄの下部に向かって傾斜面１６Ｂと傾斜面１６Ｃとが交互に周期的に形成されている。
【００２４】
なお、図２において、１７は導光体１３の下面１３Ｃにおける垂線を、１８は配向制御領域１６の傾斜面１６Ｂにおける垂線をそれぞれ示している。垂線１７は上下方向Ｙに平行であるが、垂線１８はその上部が垂線１７に接近するように傾いている。
【００２５】
次に、上記構成の原稿照明ユニットの作用について説明する。
【００２６】
光源１２の発光面１２Ａから放出された光は、入射面１３Ａから導光体１３内に入射し、一部は導光体１３の配向制御領域１６（詳細には溝１６Ａの傾斜面１６Ｂ）で全反射した後に、導光体１３の上面１３Ｂを通過して原稿台１１へ向かい、残部は導光体１３の出射面１３Ｄ（図１参照）から出射して、対向反射ミラー１４で反射した後に原稿台１１へ向かう。そして、導光体１３の上面１３Ｂから原稿台１１へ向かった光と、対向反射ミラー１４で反射して原稿台１１へ向かった光は、左右斜め下方から原稿台１１の原稿読取領域Ｓで交わり、当該原稿読取領域Ｓを照明する。
【００２７】
なお、光源１２からの光は、直接、配向制御領域１６の傾斜面１６Ｂや出射面１３Ｄに至るものもあるが、導光体１３の上面１３Ｂや下面１３Ｃで全反射を繰り返しながら導光体１３内を伝播するものもある。図２においては、光源１２からの光が導光体１３の上面で全反射してから、配向制御領域１６の溝１６Ａの傾斜面１６Ｂに至る様子が示されている。また、傾斜面１６Ｂで全反射した光は、導光体１３の上面１３Ｂの通過時に、図２に示すように当該上面１３Ｂにおいて屈折して原稿台１１の方へ向かう。
【００２８】
ところで、上記構成の原稿照明ユニットでは、図２に示したように、光源１２からの光が、配向制御領域１６における傾斜面１６Ｂの中央（又は左寄り側）に入射したときは、傾斜面１６Ｂでの反射光は原稿読取領域Ｓに向かわせることができる。
【００２９】
しかし、光源１２からの光が、図３に示すように、配向制御領域１６における傾斜面１６Ｂの右寄り側に入射したときは、傾斜面１６Ｂでの反射光は大きく右側へずれてしまい、原稿読取領域Ｓに向かわせることができず、照明光に無駄が生じる。
【００３０】
本実施例では、上記の欠点を解消するために、配向制御領域１６における傾斜面１６Ｂに工夫を加えたところに特徴がある。すなわち、本実施例の特徴点は、図４に示すように、配向制御領域１６の溝１６Ａの傾斜面１６Ｂに、前部傾斜面１６ＢＡ（図では、点線で示してある）と後部傾斜面１６ＢＢとが設けられている。なお、前部傾斜面１６ＢＡは第１の反射面を、後部傾斜面１６ＢＢは第２の反射面をそれぞれ構成している。
【００３１】
図５は、配向制御領域１６の溝１６Ａを拡大して示した図である。図５に示すように、溝１６Ａの傾斜面１６Ｂが前部傾斜面１６ＢＡと後部傾斜面１６ＢＢとに分割されている。前部傾斜面１６ＢＡは溝１６Ａの前部側（反射領域１５に近い側）に、後部傾斜面１６ＢＢは溝１６Ａの後部側（反射領域１５から離れた側）にそれぞれ設けられている。
【００３２】
反射領域１５における導光体１３の下面１３Ｃに対する、前部傾斜面１６ＢＡの傾斜角θ１は傾斜面１６Ｂ（図２、図３参照）の傾斜角と同じであるが、同下面１３Ｃに対する後部傾斜面１６ＢＢの傾斜角θ２はθ１よりも小さく（θ２＜θ１）設定されている。
【００３３】
図４において、１９は後部傾斜面１６ＢＢにおける垂線を示している。１７は図２や図３の場合と同様に導光体１３の下面１３Ｃにおける垂線である。また、１８は前部傾斜面１６ＢＡにおける垂線であり、前述の傾斜面１６Ｂにおける垂線と同じである。垂線１９はその上部が垂線１８から離間するように傾いている。
【００３４】
上記のように構成された溝１６Ａは複数設けられ、副走査方向Ｚに沿って周期的に形成されている。
【００３５】
次に、本実施例の作用について説明する。
【００３６】
図４に示すように、光源１２の発光面１２Ａから放出された光は、入射面１３Ａから導光体１３内に入射し、一部は配向制御領域１６における後部傾斜面１６ＢＢで全反射した後に、対向反射ミラー１４（図１参照）で反射して原稿台１１へ向かう。光源１２からの光うち、他の一部は、配向制御領域１６における前部傾斜面１６ＢＡで全反射して、導光体１３の上面１３Ｂを通過して原稿台１１へ向かう。
【００３７】
また、光源１２からの光の残部は、図６に示すように、導光体１３の上面１３Ｂや下面１３Ｃ、及び配向制御領域１６における前部傾斜面１６ＢＡや後部傾斜面１６ＢＢで全反射することなく、直接、出射面１３Ｄ（図１参照）を介して対向反射ミラー１４へ向かったり、また、図７に示すように、導光体１３の上面１３Ｂで全反射した後に、出射面１３Ｄを介して対向反射ミラー１４へ向かったりする。この場合、図７において、導光体１３の下面１３Ｃで全反射した後に、出射面１３Ｄを介して対向反射ミラー１４へ向かうものもある。
【００３８】
そして、導光体１３の上面１３Ｂから原稿台１１へ向かった光と、対向反射ミラー１４で反射して原稿台１１へ向かった光は、左右斜め下方から原稿台１１の原稿読取領域Ｓで交わり、当該原稿読取領域Ｓを照明する。
【００３９】
本実施例によれば、前部傾斜面１６ＢＡで全反射した光はそのまま原稿台１１へ、後部傾斜面１６ＢＢで全反射した光は対向反射ミラー１４で反射させてから原稿台１１へ向かわせることができ、光源１２からの光を効率よく原稿読取領域Ｓに導くことができる。また、導光体１３内に入射した光を、導光体の上面１３Ｂや下面１３Ｃで全反射させてから対向反射ミラー１４に導いたり、または、全反射させることなく、直接、対向反射ミラー１４に導いたりすることができる。その結果、本実施例では、光源１２からの光の多くを原稿読取領域Ｓに集めることが可能となり、照明光の無駄を抑えることができる。
【００４０】
また、本実施例によれば、導光体１３の反射領域１５と面一に配置された配向制御領域１６で、光源１２からの光を原稿台１１に向けて反射するように構成したので、導光体１３の上下方向の厚さを薄くすることが可能となる。
【００４１】
また、本実施例によれば、光源からの光を、導光体１３から原稿読取領域Ｓに直接導くとともに、導光体１３の出射面１３Ｄから出射して対向反射ミラー１４で反射させてから原稿読取領域Ｓに導くようにしているので、原稿読取領域Ｓへ導かれる光の量を独立に制御することができる。
【００４２】
さらに、本実施例によれば、原稿読取領域Ｓを挟んで、導光体１３と対向反射ミラー１４の双方で原稿読取領域Ｓを照明することができるので、切り貼り原稿を読取る際に、原稿段差部に陰線が生じるのを回避することができる。この場合、原稿読取領域Ｓに対する、導光体１３と対向反射ミラー１４の位置及び導光体１３と対向反射ミラー１４との距離を適切に調整することにより、対向照射比率（導光体１３からの直接照明と対向反射ミラーからの間接照明の比率）を１：１に近づけることが可能となる。
【００４３】
また、本実施例では、溝１６Ａの後部傾斜面１６ＢＢの傾斜角θ２を、前部傾斜面１６ＢＡの傾斜角θ１よりも小さく（θ２＜θ１）したので、溝１６Ａの成型加工が極めて容易である。
【００４４】
《実施例２》
実施例１の図５の場合、図８に示すように、前部傾斜面１６ＢＡと後部傾斜面１６ＢＢとの境界角部２１、及び後部傾斜面１６ＢＢと傾斜面１６Ｃとの境界角部２２に光が当たったとき、境界角部２１，２２で光が散乱する。このように光が散乱すると、照明光に無駄が生じる。
【００４５】
そこで本実施例では、図９に示すように、境界角部２１，２２にＲ部（導光体１３の本体側へ凹んだ小さな円筒面）２１Ａ，２２Ａが形成されている。これらＲ部２１Ａ，２２Ａは主走査方向Ｘに沿って形成されている。
【００４６】
上記のように構成すれば、Ｒ部２１Ａ，２２Ａに当たった光は、散乱することなく、出射面１３Ｄ側へ反射される。すなわち、図１０に示すように、例えばＲ部２１Ａに法線２１Ｂ，２１Ｃ，２１Ｄを考えたとき、これら法線２１Ｂ，２１Ｃ，２１Ｄに対して入射した光は全て法線２１Ｂ，２１Ｃ，２１Ｄの反対側へ反射されるので、散乱光が生じることはない。
【００４７】
本実施例によれば、Ｒ部２１Ａ，２２Ａでの反射光の多くを原稿読取領域Ｓに導くことができ、照明光に無駄が生じるのを抑制することができる。
【００４８】
《実施例３》
図１１は、本実施例による原稿読取装置６２の概略構成を示している。原稿台１１の下方に原稿照明ユニット１０が設けられている。原稿照明ユニット１０は、光源及び導光体を含む照明部３１と、対向反射ミラーを含む対向照明光学系３２とを備えている。本実施例では、照明部３１及び対向照明光学系３２に、実施例１または実施例２で示した原稿照明ユニット１０が用いられている。
【００４９】
照明部３１と対向照明光学系３２との間で、その上方には、原稿３３に対して原稿読取領域Ｓが形成されている。そして、照明部３１及び対向照明光学系３２からの光が原稿読取領域Ｓに照射され、原稿３３の内容が読み取られる。
【００５０】
照明部３１と対向照明光学系３２との間で、その下方には、第１の反射ミラー３４が設けられている。照明部３１、対向照明光学系３２、及び第１の反射ミラー３４は第１の走行体３５の内部に設けられている。なお、図には示してないが、照明部３１及び対向照明光学系３２は、第１の走行体３５内に設けられた基板に固定されている。
【００５１】
第１の走行体３５の下側には、第２の反射ミラー３６及び第３の反射ミラー３７を有する第２の走行体３８が設けられている。ここで、第２の走行体３８は、その第２の反射ミラー３６が第１の走行体３５内の第１の反射ミラー３４に対向するよう配置されている。
【００５２】
また、第２の走行体３８の第３の反射ミラー３７に対向させて、撮像レンズ３９及び撮像素子（ＣＣＤ等）４０がそれぞれ配置されている。ここで、撮像素子４０は受光部を構成している。
【００５３】
図１１において、第１の走行体３５は、原稿台１１の下側を点線の矢印のように左端部から右端部まで走行する。一方、第２の走行体３８は、第１の走行体３５の走行に伴って、原稿台１１の下側を点線の矢印のように左端部から中央部まで走行する。このとき、第１の走行体３５の走行速度をＶとすると、第２の走行体３８の走行速度はＶ／２である。
【００５４】
本実施例によれば、照明部３１の上下方向の厚さを薄くできるので、画像読取装置全体の高さを小さくすることができる。
【００５５】
また、主走査方向及び副走査方向の双方に照明光の配向を制御できるので、光源の個数が少なくても良好な照度分布特性を得ることができる。その結果、原稿読取装置６２としても、照度が平坦で読取り位置ずれに強く、かつ安定性の高い画像信号が得られるようになる。
【００５６】
《実施例４》
本実施例は、実施例３の原稿読取装置６２を搭載した画像形成装置を示している。図１２は、フルカラーの画像形成装置５０の内部構造を示す全体構成図である。画像形成装置５０の装置本体５１内の中央部にはカラー画像を形成するための画像形成部５２が設けられている。
【００５７】
この画像形成部５２は、等間隔に離間させて水平向きに並列に配置された４つのドラム状の感光体５３、感光体５３の外周面を一様に帯電する帯電ローラ５４、帯電ローラ５４により帯電された各感光体５３の外周面を画像データに応じて露光することにより静電潜像を形成する露光装置５５、静電潜像にトナーを供給することにより静電潜像をトナー像として顕像化する現像装置５６、感光体５３上のトナー像が順次転写される中間転写ベルト５７、中間転写ベルト５７上へのトナー像の転写後に感光体５３上に残留したトナーを除去するクリーニング装置５８、中間転写ベルト５７上に転写されたトナー像を記録用紙５９に転写させる転写ローラ６０等により構成されている。
【００５８】
なお、４つの感光体５３上にはそれぞれ異なる色のトナー像（Ｙ；イエロー、Ｍ；マゼンタ、Ｃ；シアン、Ｋ；ブラック）が形成され、これらの各色のトナー像が中間転写ベルト５７上に転写されることにより、中間転写ベルト５７上ではカラーのトナー像が形成され、このカラーのトナー像が記録用紙５９に転写される。
【００５９】
装置本体５１の上部には、照明装置による照明対象物である原稿を自動送りするＡＤＦ６１と、照明装置による照明対象物である原稿が置かれる原稿台（コンタクトガラス）１１と、ＡＤＦ６１で自動送りされた原稿又は原稿台１１上に置かれた原稿を読取る原稿読取装置６２とが配置されている。
【００６０】
原稿読取装置６２は、図１１に示したものと同じであり、第１の走行体３５、第２の走行体３８、撮像レンズ３９、及び撮像素子４０を備えている。
【００６１】
装置本体５１の下部には、記録用紙５９を収納する複数段、例えば４段の用紙カセット６３が設けられている。これらの用紙カセット６３内に収納された記録用紙５９はピックアップローラ６４とフィードローラ６５とにより一枚ずつ分離給紙され、分離給紙された記録用紙５９は装置本体５１内に設けられた用紙搬送路６６に沿って搬送される。この用紙搬送路６６上には、レジストローラ６７、転写ローラ６０、定着装置６８、排紙ローラ６９等が配置されている。
【００６２】
このような構成において、原稿読取装置６２での読み取り結果に応じて露光装置５５の半導体レーザから各色（イエローＹ、マゼンタＭ、シアンＣ、ブラックＫ）の画像データに応じたレーザ光が出射され、そのレーザ光が帯電ローラ５４により一様に帯電された各感光体５３の外周面を露光することにより静電潜像が形成される。この静電潜像に対して各現像装置５６から各色のトナーが供給されることにより、各色のトナー像が形成される。各感光体５３上のトナー像は、感光体５３と同期して移動する中間転写ベルト５７上に順次転写され、中間転写ベルト５７上にはカラートナー像が形成される。
【００６３】
一方、画像形成部５２での画像形成動作開始にあわせ、用紙カセット６３内からは、記録用紙５９の分離給紙が開始され、分離給紙されて用紙搬送路６６上を搬送された記録用紙５９は間欠的に回転駆動するレジストローラ６７により、中間転写ベルト５７と転写ローラ６０との間の転写位置へ送り込まれる。
【００６４】
次にレジストローラ６７が回転駆動され、記録用紙５９が中間転写ベルト５７と転写ローラ６０との間に送り込まれることにより、中間転写ベルト５７上のカラートナー像が記録用紙５９上に転写される。記録用紙５９上に転写されたカラートナー像は、記録用紙５９が定着装置６８を通過する過程で記録用紙５９に定着され、カラートナー像が定着された記録用紙５９は排紙ローラ６９によって排紙トレイ７０上に排紙される。
【００６５】
本実施例によれば、高さの小さい原稿読取装置６２が搭載されているので、画像形成装置５０全体の高さも小さくすることができる。
【００６６】
以上、本発明の実施例を図面により詳述してきたが、上記各実施例は本発明の例示にしか過ぎないものであり、本発明は上記各実施例の構成にのみ限定されるものではない。本発明の要旨を逸脱しない範囲の設計の変更等があっても、本発明に含まれることは勿論である。
【００６７】
例えば、実施例１や実施例２では、配向制御領域１６の溝１６Ａは、前部傾斜面１６ＢＡ、後部傾斜面１６ＢＢ、及び傾斜面１６Ｃといった３つの傾斜面で形成されていたが、反射光を原稿読取領域Ｓへ直接的に導くとともに対向反射ミラーを介して原稿読取領域Ｓへ間接的に導く構成であれば、傾斜面は４つ以上あっても良い。
【００６８】
また、実施例３の画像読取装置はスキャナ装置として独立に動作させるようにしても良い。
【符号の説明】
【００６９】
１０  原稿照明ユニット
１１  原稿台
１２  光源
１２Ａ  発光面
１３  導光体
１３Ａ  入射面
１３Ｂ  上面
１３Ｃ  下面
１３Ｄ  出射面
１４  対向反射ミラー（反射部材）
１５  反射領域
１６  配向制御領域
１６Ａ  溝
１６Ｂ  傾斜面
１６ＢＡ  前部傾斜面（第１の反射面）
１６ＢＢ  後部傾斜面（第２の反射面）
１６Ｃ  傾斜面
２１Ａ  Ｒ部
２２Ａ  Ｒ部
３５  第１の走行体
３８  第２の走行体
３９  撮像レンズ
４０  撮像素子（受光部）
５０  画像形成装置
６２  原稿読取装置
【先行技術文献】
【特許文献】
【００７０】
【特許文献１】特開２０１０−２５２３４０号公報
【特許文献２】特開２０１０−１９１３９７号公報
【特許文献３】特開２０１０−０１６４９６号公報
【図１】
2014057281.tif 000003
【図２】
2014057281.tif 000004
【図３】
2014057281.tif 000005
【図４】
2014057281.tif 000006
【図５】
2014057281.tif 000007
【図６】
2014057281.tif 000008
【図７】
2014057281.tif 000009
【図８】
2014057281.tif 000010
【図９】
2014057281.tif 000011
【図１０】
2014057281.tif 000012
【図１１】
2014057281.tif 000013
【図１２】
2014057281.tif 000014